(57)【特許請求の範囲】
【請求項１】
上部に前倒機構を有するステーと、前倒機構を被包しステー        を挿通する筒状のステー挿通部を有するインナーカバーと、このインナーカバー        と袋状の表皮との間に発泡液を注入して表皮と一体発泡するパッドと、前記イン        ナーカバーのステー挿通部に嵌合して表皮の端末を挟持するアウターカバーとを        有し、
前記インナーカバーのステー挿通部内には、係止爪を設けると共にステー挿通        部の外端縁に鍔状の挟持片を延設し、
前記アウターカバーには、前記ステー挿通部内に嵌合する筒状の挿入部と、こ        の挿入部に開孔して前記係止爪が係合することによりアウターカバーを固定する と共に表皮の端末の挟持状態を保持する係合孔と、挿入部の端末に設けて前記挟 持片に表皮の端末を圧接する鍔状の接合部とからなる
ヘッドレスト。
【請求項２】
上部に前倒機構を有するステーと、前倒機構を被包しステーを        挿通する筒状のステー挿通部を有するインナーカバーと、このインナーカバーと         ,袋状の表皮との間に発泡液を注入して表皮と一体発泡するパッドと、前記イン        ナーカバーのステー挿通部に嵌合して表皮の端末を挟持するアウターカバーとを        有し、
前記インナーカバーのステー挿通部内には、係止爪を設けると共にステー挿通        部の外端縁に、表皮の端末を差し込む鍔状の差込片を延設し、
前記アウターカバーには、ステー挿通部内に嵌合する筒状の挿入部と、ステー        挿入部に開孔して前記係止爪が係合する係合孔と、挿入部の端縁に設けた鍔部と 、この鍔部の内側に設けて前記差込片の先端縁の外周に係止すると共に表皮の        端末をインナーカバーの水平状の底部外面に圧接する押圧突部と設けてなる前記請      求項１記載のヘッドレスト。
【発明の詳細な説明】
【０００１】
【発明の属する技術分野】
本発明は自動車用シートに備えるヘッドレスト、詳しくは、内部に設けた前倒機構によって前倒し且つ発泡液を袋状の表皮内に注入して表皮と一体にパッドを発泡成形するヘッドレストに関する。
【０００２】
【従来の技術】
従来のヘッドレストにはシートバック側に支持されるステーに対して、ステーのヘッドレスト内に有する前倒装置等によってヘッドレストを前方に回動自在に取付けて、ヘッドレストを前倒させることにより、後方の乗員の視界を拡大するものがある。
【０００３】
このヘッドレストはヘッドレスト内の前記ステーの上部に有する前倒装置（例えばラチェット装置）を金属製のパネルで囲繞し、このパネルの外周面に、あらかじめ所定形状に発泡成形した発泡体製パッドを当て、このパッドを袋状に縫製した表皮で被包することにより形成している。
【０００４】
【発明が解決しようとする課題】
従って、この従来品は、パネルにパッドを当て、これを表皮で被包し、表皮の開口部を閉口手段（例えば、ベルベット式ファスナーなど）で閉口しなければならない。そのため、ヘッドレストの組付に工数を要する不具合があった。
【０００５】
また、ステーに対してヘッドレストが前後方向に回動できるように、ヘッドレストの底部側に臨むパッドには、ステー挿通用の長孔を有するが、この長孔の周囲を被覆する表皮の端末処理作業を的確に行うことができない不具合もある。
【０００６】
そこで、本発明は斯様な前倒れヘッドレストにおいて、その組立性と外観品質を向上することを目的とする。
【０００７】
【課題を解決するための手段】
以上の目的を達成するための本発明は、上部に前倒機構を有するステーと、前倒      機構を被包しステーを挿通する筒状のステー挿通部を有するインナーカバーと、こ      のインナーカバーと袋状の表皮との間に発泡液を注入して表皮と一体発泡するパッ      ドと、前記インナーカバーのステー挿通部に嵌合して表皮の端末を挟持するアウタ      ーカバーとを有し、前記インナーカバーのステー挿通部内には、係止爪を設けると      共にステー挿通部の外端縁に鍔状の挟持片を延設し、前記アウターカバーには、前 記ステー挿通部内に嵌合する筒状の挿入部と、この挿入部に開孔して前記係止爪が      係合することによりアウターカバーを固定すると共に表皮の端末の挟持状態を保   持する係合孔と、挿入部の端末に設けて前記挟持片に表皮の端末を圧接する鍔状   の接合部とからなることを特徴とするものである。
【０００８】
この構成によれば、インナーカバーと袋状の表皮との間に注入したパッド成形用の発泡液がインナーカバーのステー挿通部と表皮の端末との間から漏出することがなくパッドが表皮、インナーカバーと一体に発泡成形される。
【０００９】
また、本発明は、上部に前倒機構を有するステーと、前倒機構を被包しステーを      挿通する筒状のステー挿通部を有するインナーカバーと、このインナーカバーと袋      状の表皮との間に発泡液を注入して表皮と一体発泡するパッドと、前記インナーカ      バーのステー挿通部に嵌合して表皮の端末を挟持するアウターカバーとを有し、前      記インナーカバーのステー挿通部内には、係止爪を設けると共にステー挿通部の外      端縁に、表皮の端末を差し込む鍔状の差込片を延設し、前記アウターカバーには、      ステー挿通部内に嵌合する筒状の挿入部と、ステー挿入部に開孔して前記係止爪が      係合する係合孔と、挿入部の端縁に設けた鍔部と、この鍔部の外周より内側に設け て前記差込片の先端縁の外周に係止すると共に表皮の端末をインナーカバーの水平      状の底部外面に圧接する押圧突部と設けてなるものである。
【００１０】
この構成によれば、アウターカバーがインナーカバーに確実に固定されると共に、インナーカバーのステー挿通部周囲の表皮の端末をアウターカバーでインナーカバー側に押圧でき、パッド成形用の発泡液の外部への漏出を完全に防止できる。
【００１１】
更に、前記ステーは左右一対で、この左右一対のステーを挿通するステー挿通部をインナーカバーの底部に設け、この左右のステー挿通部に嵌合するアウターカバーは連結片部で一体に形成し、該連結片部で左右のステー挿通部間に被覆する表皮の端末をインナーカバーの底部外面に挟持するようにするのが好ましい。
【００１２】
この構成によれば、連結片部で、袋状の表皮における開口部の端末をインナーカバーに挟持するので、表皮の開口部が完全に閉口され、この表皮の開口部から発泡液が外部に漏出することがない。
【００１３】
【発明の実施の形態】
以下、本発明の実施の形態を図面に基づいて説明する。
図１乃至図８は第１発明、図９乃至図１１は第２発明を各々示す。
【００１４】
本第１、第２発明は、シートバック（不図示）に支持されるステー（４）に対してヘッドレスト（Ｈ）が前倒装置（４０）（４１）…によって、図３鎖線に示すように前倒して後方の乗員の視界を拡大し得る構造になっており、パッド（５）はモールド内に組付けた袋状の表皮（３）内に、発泡液を注入することにより、表皮（３）と一体に成形するものである。
【００１５】
そして、本発明は、上部に前倒機構（４０）…を有するステー（４）、前倒機構（４０）…を被包しステー（４）を挿通する筒状のステー挿通部（１０）を有するインナーカバー（１）、このインナーカバー（１）と袋状の表皮（３）との間に発泡液を注入して表皮と一体発泡するパッド（５）、前記インナーカバー（１）のステー挿通部（１０）に嵌合して表皮（３）におけるステー挿通部（１０）周囲の端末（３１）を挟持するアウターカバー（２）とから構成されている。
【００１６】
前倒機構（４０）は従来周知の構造のもので、図示するものはラチェット機構のもので、追歯（４０Ａ）（４０Ｂ）付の歯板（４０）と、この歯板（４０）の追歯（４０Ａ）又（４０Ｂ）に係合する係止ピン（４１）とから構成され、歯板（４０）は支軸（４４）に一体に固定され、この支軸（４４）は門形状のステー（４）の上部（４２）にアーム（４３）を介して固定されている。
【００１７】
一方、係止ピン（４１）は、支軸（４４）に前後方向に回動自在に軸着されている左右一対のブラケット（４５）における一方のブラケット（４５）に回動自在に枢着した回動片に固定され、バネ（不図示）によって歯板（４０）の追歯（４０Ａ）（４０Ｂ）方向に付勢されている。図中（４６）は、左右のブラケット（４５）を連結する連結軸を示す。
【００１８】
従って、ヘッドレスト（Ｈ）を、図３の実線の状態から前方に押動すると、図３の鎖線に示す前倒状態になり、この前倒状態から更にヘッドレスト（Ｈ）を前方に押動すると、そのロック状態が解除されて図３の実線に示す使用状態に戻るように構成されている。
【００１９】
以上の前倒機構（４０）は、剛性を有する合成樹脂製のインナーカバー（１）内に内蔵され、前記パッド成形用の発泡液の侵入を防止している。
【００２０】
インナーカバー（１）の底部（１３）における左右の凸部（１４）（１４）には、図５に示すように、左右一対のステー（４）（４）を挿通する筒状のステー挿通部（１０）がインナーカバー（１）と一体に設けてある。
【００２１】
ステー挿通部（１０）はその内壁に、図４、図７に示すように、複数の係止爪（１２）が突設され、また、外端縁に鍔状の挟持片（１１）が延設されている。
【００２２】
アウターカバー（２）はインナーカバー（１）と同様に剛性を有する合成樹脂で、図５、図６に示すように成形され、図４、図８に示すように、インナーカバー（１）のステー挿通部（１０）に嵌合して係止して、インナーカバー（１）のステー挿通部（１０）周囲の表皮（３）の端末（３１）を挟持する。
【００２３】
この斯様に表皮（３）の端末（３１）が、アウターカバー（２）によって挟持することにより、ステー挿通部（１０）（１０）に対応する位置に設けた表皮（３）の開口部から、表皮（３）とインナーカバー（１）との間に有する空間部（５Ａ）に、注入したパッド成形用の発泡液の外部への漏出を防止している。
【００２４】
以上のアウターカバー（２）は、インナーカバー（１）のステー挿通部（１０）内に嵌合する筒状の挿入部（２０）と、この挿入部（２０）の端縁に設けた鍔状の接合部（２１）とから構成され、挿入部（２０）には図６に示すように、前記係止爪（１２）が挿入して係止する係合孔（２２）（２２）が開孔されている。
【００２５】
そして、図５に示すように、左右の挿入部（２０）（２０）は、接合部（２１）を介して一体に連結片部（２８）で一体に連結し、この連結片部（２８）によって、図２に示すように、前倒装置（４０）…付のインナーカバー（１）を内部に収容する袋状の表皮（３）の開口部を閉口する。
【００２６】
表皮（３）は袋状に縫製し、その開口部から前述の如く、ステー（４）と一体の前倒装置（４０）…付インナーカバー（１）を内部に収容し得るように構成され、その開口部の左右における前記インナーカバー（１）のステー挿通部（１０）に対応する個所には、ステー挿通部（１０）の断面形状である長楕円形状の通孔が開孔され、この通孔の孔縁が前記表皮（３）の端末（３１）で、この端末（３１）がアウターカバー（２）のインナーカバー（１）に対する嵌合によって挟持される。
【００２７】
図８に示すように、表皮（３）の端末（３１）は、インナーカバー（１）の挟持片（１１）とアウターカバー（２）の接合部（２１）によって挟持される。そして、アウターカバー（２）はその係合孔（２２）にインナーカバー（１）の係止爪（１２）が係合することにより固定され、前記表皮（３）の端末（３１）の挟持状態が保持される。
【００２８】
この図８に示す状態で、表皮（３）に開孔した注入孔から空間部（５Ａ）内に、パッド成形用の発泡液を注入すると、図１乃至図４に示すように、パッド（５）が表皮（３）、インナーカバー（１）と一体に発泡成形される。
【００２９】
パッド成形用の発泡液を注入してパッド（５）を成形する際、インナーカバー（１）のステー挿通部（１０）に表皮（３）の端末（３１）が、アウターカバー（２）によって圧接されているため、該部分から発泡液が外部に漏出することがない。
【００３０】
なお、図５乃至図７において、図中（１０Ａ）（２０Ａ）はステー挿通用空間部を示す。
【００３１】
次に、図９乃至図１１は、第２発明を示し、斯かる発明は前記第１発明に対してより完全に、パッド成形用の発泡液の外部への漏出を防止した構造である。
【００３２】
即ち、インナーカバー（１Ａ）は、図９、図１１に示すように、水平状の底部（１４）内に、筒状のステー挿通部（１０Ａ）の一部を差し込んだ状態で、係止爪（１２Ａ）付ステー挿通部（１０Ａ）を一体成形し、ステー挿通部（１０Ａ）の外端縁に表皮（３）の端末（３１）を差し込む差込片（１１Ａ）を鍔状に延設している。
【００３３】
一方、アウターカバー（２Ａ）は図９、図１０に示すように、係合孔（２２Ａ）を有する筒状の挿入部（２０Ａ）と、挿入部（２０Ａ）と一体でインナーカバー（１Ａ）に設けた差込片（１１Ａ）の先端縁に係止して表皮（３）の端末（３１）を前記底部（１４）の外面に圧接する押圧突部（２３）とから構成されている。
【００３４】
押圧突部(２３)は、挿入部(２０Ａ)の端縁より鍔状に延設した鍔部(２１Ａ)の外 周より内側に一体成形され、前記差込片(１１Ａ)の先端縁の外周に係止するように 形成されている。
【００３５】
従って、インナーカバー（１Ａ）の差込片（１１Ａ）とインナーカバー（１Ａ）の底部（１４）外面との間に表皮（３）の端末（３１）を差し込み、アウターカバー（２Ａ）をインナーカバー（１Ａ）に嵌合すると、表皮（３）の端末（３１）は、インナーカバー（１Ａ）の押圧突部（２３）によってインナーカバー（１Ａ）の底部（１４）外面に圧接されて固定される。
【００３６】
また、アウターカバー（２Ａ）は、その係合孔（２２Ａ）に係止爪（１２Ａ）が挿入して係止すると共に、押圧突部（２３）が差込片（１１Ａ）の先端縁に係止する。
そのため、アウターカバー（２Ａ）はインナーカバー（１Ａ）に確実に固定されるため、前記表皮（３）の端末（３１）の固定状態は確実に維持される。
【００３７】
この図９に示す状態でモールド内に、表皮（３）等は収容され、表皮（３）に設けた注入孔から空間部（５Ａ）に、パッド成形用の発泡液が注入されて、パッドが表皮（３）、インナーカバー（１Ａ）と一体に発泡成形される。
【００３８】
この空間部（５Ａ）に注入されたパッド成形用の発泡液は、表皮（３）の端末（３１）が前述の如く、インナーカバー（１Ａ）にアウターカバー（２Ａ）によって封鎖されているため、外部に漏出することがない。
【００３９】
なお、図９乃至図１１において、前記第１発明と同一符号は同一部材を示し、その説明を省略する。
【００４０】
【発明の効果】
第１発明によれば、前倒装置内蔵のヘッドレストにおいて、インナーカバーと袋状の表皮との間に、パッド成形用の発泡液を注入してパッドをインナーカバーと表皮に一体発泡成形できる。
従って、前記従来品に対して、前倒装置付のヘッドレストの製造が簡単で生産性が向上するし、ヘッドレストを直接前方に押動しても、表皮のパッド等が位置ズレすることがない。
【００４１】
また、前記パッド成形用の発泡液が外部に漏出することがないため、ヘッドレストの外観品質が良好になる。
【００４２】
本第２発明によれば、インナーカバーのステー挿通部に対応する前記表皮の端末が、差込片と押圧突部との二重の封止手段によってインナーカバーに圧接され、この圧接状態をインナーカバーに固定したアウターカバーによって維持されるため、表皮内に注入したパッド成形用の発泡液の外部への漏出をより完全に防止できる。
【図面の簡単な説明】
【図１】本第１発明に係るヘッドレストの斜視図である。
【図２】図１のIIーII線断面図である。
【図３】同IIIーIII線断面図である。
【図４】図３のＡ部の拡大図である。
【図５】本第１発明の要部の部分分解斜視図である。
【図６】図５のVIーVI線断面図である。
【図７】同VIIーVII線断面図である。
【図８】パッド発泡成形前の状態の部分断面図である。
【図９】本第２発明におけるパッド発泡成形前の状態の部分断面図である。
【図１０】図９に示すアウターカバーの断面図である。
【図１１】同インナーカバーの断面図である。
【符号の説明】
１      インナーカバー
１Ａ      インナーカバー
２      アウターカバー
２Ａ      アウターカバー
３      表皮
４      ステー
５      パッド
１０      ステー挿通部
１０Ａ      ステー挿通部
１１      挟持片
１１Ａ      差込片
１２      係止爪
１２Ａ      係止爪
１４      インナーカバーの底部
２０      挿入部
２０Ａ      挿入部
２１      接合部
２２      係合孔
２２Ａ      係合孔
２３      押圧突部
２８      連結片部
３１      表皮の端末
４０      前倒装置
４１      前倒装置
【図１】
0003889157.tif 000002
【図２】
0003889157.tif 000003
【図３】
0003889157.tif 000004
【図４】
0003889157.tif 000005
【図５】
0003889157.tif 000006
【図６】
0003889157.tif 000007
【図７】
0003889157.tif 000008
【図８】
0003889157.tif 000009
【図９】
0003889157.tif 000010
【図１０】
0003889157.tif 000011
【図１１】
0003889157.tif 000012